(57)【特許請求の範囲】
【請求項１】
ベール支持部材を支持する一対の支持腕と円筒状部とで構成されたロータと、釣糸巻回胴部の前後にフランジ部を具備し、前記ロータの回転に連動し且つ前記ロータの回転軸の軸芯方向に往復動するスプールと、前記スプールの後側フランジ部より後方への釣糸の抜け落ちを防止する糸落ち防止部材とを備えた魚釣用スピニングリールにおいて、
前記糸落ち防止部材は、
前記スプールを支持するスプール軸に対して回転可能、且つスプール軸の軸芯方向に前記スプールと共に移動するべくスプール軸に支持される基端部と、
この基端部より径方向外側に向けて延出された継ぎフレームと、
この継ぎフレームの先端に連設された第１環状部と、
この第１環状部より径方向外側に位置する第２環状部と、
前記第１，第２環状部とを繋ぐ壁状部と、
前記第２環状部の外周面のリール本体側に径方向外方に突出するように設けられ、前記ロータの支持腕に形成された係合溝に係合する係合突起と、を有しており、
前記第１環状部を前記スプールの後側フランジ部に形成された円筒状部の内側に位置させると共に、前記第２環状部を前記円筒状部の後端縁よりリール本体側に位置させ、
前記第２環状部は、その外周面が前記スプールの円筒状部の外周面と略面一に位置すると共に、前記壁状部の位置から前記係合突起の基部まで軸方向長さＬを有することを特徴とする魚釣用スピニングリール。
【請求項２】
前記継ぎフレームは、前記第１環状部におけるスプール先端側の近傍に接続されていることを特徴とする請求項１に記載の魚釣用スピニングリール。
【請求項３】
前記第１環状部の外周面は、前記スプールの円筒状部の内周面と所定の間隔をもって配置されると共に、その外周面には、径方向外方へ突出する環状突出部が形成されていることを特徴とする請求項１又は２に記載の魚釣用スピニングリール。
【請求項４】
前記軸方向長さＬは、２ｍｍ以上であることを特徴とする請求項１乃至３のいずれか１項に記載の魚釣用スピニングリール。
【発明の詳細な説明】
【０００１】
【発明の属する技術分野】
本発明は、魚釣操作中にロータ内部への釣糸の侵入を防止する糸落ち防止部材を備えた魚釣用スピニングリールに関する。
【０００２】
【従来の技術】
従来、魚釣用スピニングリールは、ベール支持部材を支持する一対の支持腕と円筒状部とで構成されたロータと、釣糸巻回胴部の前後にフランジ部を具備し、前記ロータの回転に連動し且つ前記ロータの回転軸の軸芯方向に往復動するスプールとを有し、前記ロータの回転でスプールに釣糸を巻き付けるように構成されている。そして、このような魚釣用スピニングリールに、前記スプールの後側フランジ部より後方への釣糸の抜け落ちを防止するよう、糸落ち防止部材を設けることが知られている。
【０００３】
この糸落ち防止部材は様々な構成が知られており、例えば、実用新案登録第２５００３０３０号及び実用新案登録第２５３２８６４号には、糸落ち防止部材をスプール軸に回転可能に支持すると共に、ロータと一体回転しつつ、スプール又はスプール軸と一体的に軸方向に移動させる構成が開示されている。これら公知の糸落ち防止部材は、スプール軸に回転可能に支持される基端部と、スプールの後側フランジ部に形成される円筒状部（スカート部）より外側に位置する環状部と、前記基端部と環状部とを接続する継ぎフレームとを備えており、前記環状部がスプールの円筒状部に形成された径方向外方に突出する環状壁と協働することで糸絡み防止効果を向上している。
【０００４】
【発明が解決しようとする課題】
上記した公知技術の糸落ち防止部材の構成によれば、スプールの円筒状部は糸落ち防止部材の環状部の内側に位置するため、円筒状部に上記のような径方向外側に突出する環状壁を形成しないと、釣糸は、糸落ち防止部材の環状部とスプールの円筒状部との間に落ちてしまう。
【０００５】
ところが、円筒状部に突出部を有するスプールは、円筒状部分を切削加工するか、或いはスプール全体を金型によって成形する必要があり、前者の場合、コストが高くなってしまい、後者の場合、円筒状部分が肉厚となって重量が増すという問題がある。
【０００６】
また、糸落ち防止部材の基端部と環状部を結ぶ継ぎフレームを、スプールの円筒状部をかわして環状部の下端に接続する必要があるため、継ぎフレームが長くなってしまい、糸落ち防止部材が継ぎフレーム部分で撓み易くなってしまう。この結果、環状部とスプールとの間の隙間が変化して、釣糸が隙間に落ち易くなるという問題がある。
【０００７】
この発明は、上記した問題に基づいてなされたものであり、スプールの円筒状部に突出部を形成することなく、釣糸がスプールの円筒状部内に侵入する（糸落ちする）ことを確実に防止できる糸落ち防止部材を備えた魚釣用スピニングリールを提供することを目的とする。
【０００８】
【課題を解決するための手段】
上記した目的を達成するために、本発明の魚釣用スピニングリールは、ベール支持部材を支持する一対の支持腕と円筒状部とで構成されたロータと、釣糸巻回胴部の前後にフランジ部を具備し、前記ロータの回転に連動し且つ前記ロータの回転軸の軸芯方向に往復動するスプールと、前記スプールの後側フランジ部より後方への釣糸の抜け落ちを防止する糸落ち防止部材とを備えた構成において、前記糸落ち防止部材は、前記スプールを支持するスプール軸に対して回転可能、且つスプール軸の軸芯方向に前記スプールと共に移動するべくスプール軸に支持される基端部と、この基端部より径方向外側に向けて延出された継ぎフレームと、この継ぎフレームの先端に連設された第１環状部と、この第１環状部より径方向外側に位置する第２環状部と、前記第１，第２環状部とを繋ぐ壁状部と、前記第２環状部の外周面のリール本体側に径方向外方に突出するように設けられ、前記ロータの支持腕に形成された係合溝に係合する係合突起と、を有しており、前記第１環状部を前記スプールの後側フランジ部に形成された円筒状部の内側に位置させると共に、前記第２環状部を前記円筒状部の後端縁よりリール本体側に位置させ、前記第２環状部は、その外周面が前記スプールの円筒状部の外周面と略面一に位置すると共に、前記壁状部の位置から前記係合突起の基部まで軸方向長さＬを有することを特徴とする。
【０００９】
上記した糸落ち防止部材によれば、糸落ち防止部材の第１環状部は、スプールの後側フランジ部に形成された円筒状部の内側に位置し、かつ第２環状部は、前記円筒状部の後端縁よりリール本体側に位置することから、スプールの円筒状部を従来と同様な形状、すなわち、その表面に凹凸等の無い形状にして、糸落ち防止部材を組み付けできるようになる。そして、釣糸がスプールの後側フランジから後方へ抜け落ちた場合、その抜け落ちた釣糸は、前記第２環状部の外周面のリール本体側後端に突出形成された係合突起で止められるが、その止められた位置には、スプールの内部に入り込むような隙間がなく第２環状部の外周面が存在していることから、釣糸がスプール内部に入り込んで糸絡みすることが確実に防止される。
【００１０】
【発明の実施の形態】
図１乃至図３は、本発明に係る魚釣用スピニングリールの第１の実施形態を示す図であり、図１は、内部構造を示した部分断面図、図２は、主要部の拡大図、そして、図３は、糸落ち防止部材の構成を示す斜視図である。
【００１１】
魚釣用スピニングリール１は、釣竿に装着するための脚部２ａが形成されたリール本体２と、リール本体前方に回転可能に配されたロータ３と、ロータ３の回転運動と同期して前後動可能に配されたスプール５とを有している。
【００１２】
リール本体２内には、ハンドル軸７が回転可能に支持されており、その突出端部には、ハンドル（図示せず）が取り付けられている。ハンドル軸７には、内歯が形成された駆動ギヤ９が取り付けられており、この駆動ギヤ９には、ハンドル軸７と直交する方向に延出すると共に、内部に軸方向に延出する空洞部が形成されたピニオン１０が噛合している。このピニオン１０は、軸受を介して回転可能に支持されており、その空洞部には、ハンドル軸７と直交する方向に延出し、先端側にスプール５を取り付けたスプール軸１１が軸方向に移動可能に挿通、支持されている。
【００１３】
また、前記ピニオン１０には、スプール軸を前後動させるオシレーティング機構が係合している。このオシレーティング機構は、スプール軸と平行に延出するウォームシャフト１２と、このウォームシャフト１２の螺旋溝１２ａに係合すると共に、スプール軸１１の基端部にビス止めして取り付けられた係合子１３とを有している。ウォームシャフト１２の端部には、前記ピニオン１０と噛合するギヤ１５が取り付けられており、ウォームシャフト１２が、ピニオン１０及びギヤ１５を介して回転駆動されることで、スプール軸１１は溝１２ａ内に案内される係合子１３を介して前後動される。
【００１４】
前記ピニオン１０はスプール側に向けて延出しており、その先端部において、ナット１６を介して前記ロータ３が取り付けられている。また、ピニオン１０には、その中間部分に一方向クラッチ１７が取り付けられており、リール本体２の外部に取り付けられているレバー１８を回動操作することで、一方向クラッチを作動させ、ハンドルの逆回転を防止するようになっている。
【００１５】
前記ロータ３は、筒状部３ａと、スプール５の回りを回転する一対の支持腕３ｂとを備えて構成されており、この一対の支持腕３ｂの夫々の前端部には、ベール３ｃの基端部を取り付けたベール支持部材３ｄが釣糸巻取り位置と釣糸放出位置との間で回動自在に支持されている。なお、ベール３ｃの一方の基端部は、ベール支持部材３ｄに一体的に設けられた釣糸案内部３ｅに取り付けられている。
【００１６】
前記スプール５は、スプール軸１１にドラグノブ１９を介して取り付けられており、実際に釣糸が巻回される釣糸巻回胴部５ａと、その前後に形成されたフランジ部（前側フランジ部５ｂ及び後側フランジ部５ｃ）とを備えている。この場合、後側フランジ５ｃには、リール本体側に向けて延出する円筒状部（スカート部）５ｄが一体形成されている。
【００１７】
前記スプール５の後端側には、巻回胴部５ａに巻回された釣糸が、後側フランジ部５ｃから後方に抜け落ちすることを防止する糸落ち防止部材２０が配設されている。
【００１８】
この糸落ち防止部材２０は、前記スプール軸１１が挿通される孔２１ａを有するリング状の基端部２１と、この基端部よりも後方側に位置する第１環状部２２と、この第１環状部の後端において、第１環状部２２より径方向外側に位置する第２環状部２３とを備え、前記基端部２１と第１環状部２２とは、基端部２１より径方向外側に向けて延出すると共に、その先端で後方側に向けて屈曲された所定本数の継ぎフレーム２５によって一体的に接続されている。
【００１９】
この場合、前記第１環状部２２は、スプール５の円筒状部５ｄの径方向内側に位置しており、円筒状部５ｄの内周に沿う形状に形成されている。また、前記継ぎフレーム２５は、基端部２１と、基端部２１に対して後方側でかつ径方向外側に位置する第１環状部２２とを接続する形状、すなわち基端部２１から径方向外側に延出するような形状であれば良く、図に示すような位置で屈曲されるような形状に限定されることはない。また、継ぎフレーム２５の本数についても、２本以上多数形成されたものであっても良く、筒状部で連結されるものであっても良い。
【００２０】
そして、このような糸落ち防止部材２０は、例えば、ＡＢＳ、ＰＰＳ等の合成樹脂、アルミ等の金属等によって、一体成形することが可能である。
【００２１】
前記第１環状部２２及び第２環状部２３は、共に軸方向に所定長さを有する外周面２２ａ，２３ａを具備しており、第１環状部２２と第２環状部２３とは、スプール軸方向に対して略直角な壁状部２６を介して一体化されている。また、前記第２環状部２３には、その外周面２３ａの後端側（リール本体側）において、一対の係合突起２９が形成されており、これらは、夫々、前記ロータの支持腕３ｂの内側面に形成された軸方向に延出する係合溝３ｆに係合されるようになっている。
【００２２】
上記した構成の糸落ち防止部材２０は、その基端部２１において、軸受２８を介してスプール軸１１に回転可能に支持されると共に、前記オシレーティング機構によって往復動するスプール軸１１と一体的に往復動できるように、スプール軸に支持されている。また、糸落ち防止部材２０は、スプール軸１１に支持された状態で、前記第１環状部２２がスプール５の後側フランジ部５ｃに形成された円筒状部５ｄの内側に所定の隙間を持って位置し、第２環状部２３が円筒状部５ｄの後端縁よりリール本体側となる後方に位置し、前記係合突起２９が、ロータの支持腕３ｂの内側面に形成された係合溝３ｆに係合されるようになっている。
【００２３】
本実施形態では、前記壁状部２６及び第２環状部２３は、その外周面２３ａがスプール５の円筒状部５ｄの外周面と略面一となるように形成されている。この場合、外周面２３ａの軸方向の長さ（壁状部２６の位置から係合突起２９の基部までの長さ）Ｌは、釣糸のスプール５内への侵入が効果的に防止できるよう、２ｍｍ以上となるように形成することが好ましく、また、円筒状部５ｄの後端縁と第２環状部２３の前端縁との間のギャップＧは、釣糸がスプール５内へ侵入し難いよう、２ｍｍ以下となるように形成することが好ましい。
【００２４】
次に、上記したように構成される糸落ち防止部材２０を組み込んだ魚釣用スピニングリールの作用、効果について説明する。
【００２５】
上記した構成において、ハンドルを巻取り操作することで、ロータ３が駆動ギヤ９およびピニオン１０を介して回転駆動され、かつスプール５がオシレーティング機構を介してスプール軸１１と共に前後動されるので、釣糸は、釣糸案内部３ｅを介してスプール５の巻回胴部５ａに均等に巻回される。このとき、糸落ち防止部材２０は、スプール軸１１に一体移動できるように支持されていることから、スプール５と一体的に前後動されると共に、係合突起２９と支持腕３ｂに形成された係合溝３ｆとの係合により、ロータ３の回転と一体回転する。
【００２６】
このような動作中に、釣糸が巻回胴部５ａから後方へ抜け落ちた場合、その釣糸は、スプールの円筒状部５ｄに沿ってリール本体側に移動するものの、係合突起２９によってその移動が停止されると共に、第２環状部２３の外周面２３ａによってスプール５の内側への侵入が防止される。具体的には、第２環状部２３は、その外周面２３ａが軸方向に所定の長さＬを有しているため、係合突起２９に突き当たって径方向内側に移行しようとする釣糸は、所定長さを有する外周面２３ａによって効果的にスプール内への侵入が阻止される。
【００２７】
また、第２環状部２３の外周面２３ａは、スプール５の円筒状部５ｄの外周面と略面一に位置しているため、両者間に段差がなくなり、これにより、釣糸の引っ掛かりを防止できると共に、釣糸が円筒状部５ｄの後方に移動しても、スムーズに前方に抜けることができ、糸絡み及び糸落ちを効果的に解消することが可能となる。なお、第２環状部２３の外周面２３ａは、上記した構成以外にも、リール本体側に移行するに連れて、次第に拡径するように構成されていても良い。
【００２８】
そして、上記した構成の糸落ち防止部材２０によれば、スプール５の円筒状部５ｄの外周面に、環状の突出部や溝部を形成する必要が無いため（従来の構成のようにフラットに形成できるため）、スプールの加工が複雑化することがなく、重量が増えたり、加工コストが高騰するようなこともない。また、既存のスプールを用いても、糸落ち防止部材を容易に組み込むことができるようになる。
【００２９】
さらに、上記した構成の糸落ち防止部材２０は、スプール５の円筒状部５ｄの内側に第１環状部２２を形成し、この第１環状部の内面、特に、スプール先端側に、基端部２１と接続される継ぎフレーム２５を連設するようにしたため、継ぎフレーム２５の長さを短くすることが可能となる。この結果、継ぎフレーム２５の撓み量が減り、糸落ち防止部材２０の全体の剛性が向上するため、スプール５と糸落ち防止部材２０との間のクリアランスを一定に保つことができ、釣糸の張力等で不用意にクリアランスが広がるようなことが無く、糸落ち防止効果の向上が図れる。
【００３０】
図４および図５は、本発明の第２の実施形態を示す図であり、図４は、スプールの内部の構成を示す図、図５は、糸落ち防止部材の構成を示す斜視図である。この実施形態では、上記した実施形態と同一の部分については、同一の参照符号が付してあり、以下の説明では、同一の構成部分についての詳細な説明は省略する。
【００３１】
この実施形態の魚釣用スピニングリールに用いられている糸落ち防止部材２０には、第１環状部２２の外周面２２ａのスプール先端側近傍に、径方向外方へ突出する環状突出部３０が形成されている。
【００３２】
このように、第１環状部２２の先端部分に環状突出部３０を形成することで、釣糸がスプール５の内側に入り込んだとしても、それより先（スプール軸近傍）への釣糸の侵入を阻止することができ、スプール軸１１への釣糸の絡みをより効果的に防ぎ、釣糸を正規の状態に復帰させ易くすることができる。
【００３３】
なお、このような環状突出部は、第１環状部２２の外周面２２ａのいずれかの位置に形成されていれば良い。
【００３４】
【発明の効果】
以上、上記した構成によれば、スプールの円筒状部に突出部等を形成することなく、釣糸がスプールの円筒状部内に落下する（糸落ちする）ことを確実に防止できる魚釣用スピニングリールが得られる。
【図面の簡単な説明】
【図１】本発明に係る魚釣用スピニングリールの第１の実施形態を示す図であり、その内部構造を示す部分断面図。
【図２】図１に示した魚釣用スピニングリールの主要部の拡大図。
【図３】糸落ち防止部材の構成を示す斜視図。
【図４】本発明に係る魚釣用スピニングリールの第２の実施形態を示す図であり、その主要部の拡大図。
【図５】糸落ち防止部材の構成を示す斜視図。
【符号の説明】
１  魚釣用スピニングリール
３  ロータ
３ｂ  支持腕
３ｆ  係合溝
５  スプール
５ａ  巻回胴部
５ｂ，５ｃ  フランジ部
５ｄ  円筒状部
１１  スプール軸
２０  糸落ち防止部材
２１  基端部
２２  第１環状部
２３  第２環状部
２５  継ぎフレーム
２９  係合突起
【図１】
0003761490.tif 000002
【図２】
0003761490.tif 000003
【図３】
0003761490.tif 000004
【図４】
0003761490.tif 000005
【図５】
0003761490.tif 000006